(57)【要約】  マークアップ言語により記述された文書を適切に処理可能な技術を提供する。  文書処理装置は、マークアップ言語により記述された文書を取得すると、その文書に含まれる、注釈をつけるために用意された要素を抽出する。注釈をつけるために用意された要素が存在する場合は、その要素の要素値が表示された位置の近傍に、その要素の要素名を表示する。要素名は、テキスト表示されてもよいし、バルーン表示されてもよい。また、要素名をステータス表示領域などに表示してもよい。【特許請求の範囲】
【請求項１】
マークアップ言語により記述された文書を取得する手段と、
前記文書に含まれる要素又は属性を抽出する手段と、
抽出された前記要素又は属性の名称を表示する手段と、
を備えることを特徴とする文書処理装置。
【請求項２】
前記抽出する手段は、前記文書に含まれる、注釈をつけるために用意された要素又は属性を抽出することを特徴とする請求項１に記載の文書処理装置。
【請求項３】
前記名称は、前記要素の要素値、前記属性の属性値、前記属性が属する要素の要素値のいずれかの近傍にテキスト表示されることを特徴とする請求項１又は２に記載の文書処理装置。
【請求項４】
前記名称は、前記要素の要素値、前記属性の属性値、前記属性が属する要素の要素値のいずれかの近傍にバルーン表示されることを特徴とする請求項１又は２に記載の文書処理装置。
【請求項５】
前記名称は、ステータス表示領域に表示されることを特徴とする請求項１又は２に記載の文書処理装置。
【請求項６】
マークアップ言語により記述された構造化文書ファイルをソースファイルとして取得する文書取得部と、
ソースファイルに含まれるデータの表示方法が記述された定義ファイルを取得する定義ファイル取得部と、
定義ファイルに記述されたロジックを実行することによりソースファイルに含まれるデータを画面表示させるデータ表示部と、を備え、
前記定義ファイルには、タグに付属して要素の特性を示す情報を付属情報として、ソースファイルに含まれる付属情報のうち注釈表示すべき付属情報を特定するための注釈情報が記述されており、
前記データ表示部は、前記定義ファイルの注釈情報によって特定される付属情報を本文に対する注釈として表示させることを特徴とする文書処理装置。
【請求項７】
マークアップ言語により記述された構造化文書ファイルをソースファイルとして取得する文書取得部と、
ソースファイルに含まれるデータを所定の表示形式にて画面表示させるデータ表示部と、を備え、
前記ソースファイルにおいては、タグに付属して要素の特性を示す付属情報のうち、注釈表示すべき付属情報に注釈子が付されており、
前記データ表示部は、前記注釈子によって特定される付属情報を本文に対する注釈として表示させることを特徴とする文書処理装置。
【請求項８】
画面表示されたデータに対するユーザの操作を検出する操作検出部を更に備え、
前記データ表示部は、注釈表示の対象として設定されている要素がユーザの操作によって指定されたときに、その要素についての付属情報を注釈表示させることを特徴とする請求項６または７に記載の文書処理装置。
【請求項９】
前記データ表示部は、前記付属情報として、対象要素のタグ名、前記対象要素の要素値、前記対象要素の属性名、前記対象要素の属性の属性値の少なくともいずれかを注釈表示させることを特徴とする請求項６から８のいずれかに記載の文書処理装置。
【請求項１０】
マークアップ言語により記述された構造化文書ファイルをソースファイルとして取得するステップと、
ソースファイルに含まれるデータの表示方法が記述された定義ファイルを取得するステップと、
定義ファイルに記述されたロジックを実行することによりソースファイルに含まれるデータを画面表示させるステップと、を備え、
前記定義ファイルには、タグに付属して要素の特性を示す情報を付属情報として、ソースファイルに含まれる付属情報のうち注釈表示すべき付属情報を特定するための注釈情報が記述されており、
データを画面表示させるステップにおいては、前記定義ファイルの注釈情報によって特定される付属情報を本文に対する注釈として表示させることを特徴とする文書処理方法。
【請求項１１】
マークアップ言語により記述された構造化文書ファイルをソースファイルとして取得するステップと、
ソースファイルに含まれるデータを所定の表示形式にて画面表示させるステップと、を備え、
前記ソースファイルにおいては、タグに付属して要素の特性を示す付属情報のうち注釈表示すべき付属情報に注釈子が付されており、
データを画面表示させるステップにおいては、前記注釈子によって特定される付属情報を本文に対する注釈として表示させることを特徴とする文書処理方法。
【請求項１２】
マークアップ言語により記述された構造化文書ファイルをソースファイルとして取得する機能と、
ソースファイルに含まれるデータの表示方法が記述された定義ファイルを取得する機能と、
定義ファイルに記述されたロジックを実行することによりソースファイルに含まれるデータを画面表示させる機能と、
タグに付属して要素の特性を示す情報を付属情報として、ソースファイルに含まれる付属情報のうち注釈表示すべき付属情報を特定するための注釈情報を定義ファイルから読み出し、その注釈情報によって特定されるソースファイルの付属情報を本文に対する注釈として表示させる機能と、
をコンピュータに発揮させることを特徴とする文書処理プログラム。
【請求項１３】
マークアップ言語により記述され、タグに付属して要素の特性を示す付属情報のうち注釈表示すべき付属情報に注釈子が付された構造化文書ファイルをソースファイルとして取得する機能と、
ソースファイルに含まれるデータを所定の表示形式にて画面表示させる機能と、
前記ソースファイルの注釈子によって特定される付属情報を本文に対する注釈として表示させる機能と、
をコンピュータに発揮させることを特徴とする文書処理プログラム。  
【発明の詳細な説明】
【技術分野】
【０００１】
本発明は、文書処理技術に関し、特に、マークアップ言語により記述された文書を処理するデータ処理装置に関する。
【背景技術】
【０００２】
ＸＭＬは、ネットワークなどを介して他者とデータを共有するのに適した形式として注目されており、ＸＭＬ文書を作成、表示、編集するためのアプリケーションが開発されている（たとえば、特許文献１参照）。ＸＭＬ文書は、文書型定義などにより定義されたボキャブラリ（タグセット）に基づいて作成されている。
【特許文献１】特開２００１−２９０８０４号公報
【発明の開示】
【発明が解決しようとする課題】
【０００３】
ボキャブラリは、任意に定義することが許されており、理論上、無限に多くのボキャブラリが存在しうる。これらのボキャブラリの全てに対応して専用の表示・編集環境を提供するのは現実的ではない。従来、専用の編集環境が用意されていないボキャブラリにより記述された文書を編集する場合、テキストデータにより構成された文書のソースを直接テキストエディタなどで編集していた。【０００４】
本発明はこうした状況に鑑みてなされたものであり、その目的は、マークアップ言語により構造化されたデータを処理する際の、ユーザの利便性を向上させる技術を提供することにある。
【課題を解決するための手段】
【０００５】
本発明のある態様は、文書処理装置に関する。この文書処理装置は、マークアップ言語により記述された文書を取得する手段と、前記文書に含まれる要素又は属性を抽出する手段と、抽出された前記要素又は属性の名称を表示する手段と、を備えることを特徴とする。【０００６】
前記抽出する手段は、前記文書に含まれる、注釈をつけるために用意された要素又は属性を抽出してもよい。前記名称は、前記要素の要素値、前記属性の属性値、前記属性が属する要素の要素値のいずれかの近傍にテキスト表示されてもよい。前記名称は、前記要素の要素値、前記属性の属性値、前記属性が属する要素の要素値のいずれかの近傍にバルーン表示されてもよい。前記名称は、ステータス表示領域に表示されてもよい。【０００７】
本発明の別の態様もまた、文書処理装置である。
この装置は、マークアップ言語により記述された構造化文書ファイルをソースファイルとして取得する文書取得部と、ソースファイルに含まれるデータの表示方法が記述された定義ファイルを取得する定義ファイル取得部と、定義ファイルに記述されたロジックを実行することによりソースファイルに含まれるデータを画面表示させるデータ表示部と、を備える。
定義ファイルには、タグに付属して要素の特性を示す情報を付属情報として、ソースファイルに含まれる付属情報のうち注釈表示すべき付属情報を特定するための注釈情報が記述されており、データ表示部は、定義ファイルの注釈情報によって特定される付属情報を本文に対する注釈として表示させる。【０００８】
本発明のさらに別の態様もまた、文書処理装置である。
この装置は、マークアップ言語により記述された構造化文書ファイルをソースファイルとして取得する文書取得部と、ソースファイルに含まれるデータを所定の表示形式にて画面表示させるデータ表示部と、を備える。
ソースファイルにおいては、タグに付属して要素の特性を示す付属情報のうち、注釈表示すべき付属情報に注釈子が付されており、データ表示部は、注釈子によって特定される付属情報を本文に対する注釈として表示させる。【０００９】
画面表示されたデータに対するユーザの操作を検出する操作検出部を更に備えてもよい。データ表示部は、注釈表示の対象として設定されている要素がユーザの操作によって指定されたときに、その要素についての付属情報を注釈表示させてもよい。【００１０】
データ表示部は、付属情報として、対象要素のタグ名、対象要素の要素値、対象要素の属性名、対象要素の属性の属性値の少なくともいずれかを注釈表示させてもよい。【００１１】
本発明のさらに別の態様は、文書処理方法である。
この方法は、マークアップ言語により記述された構造化文書ファイルをソースファイルとして取得するステップと、ソースファイルに含まれるデータの表示方法が記述された定義ファイルを取得するステップと、定義ファイルに記述されたロジックを実行することによりソースファイルに含まれるデータを画面表示させるステップと、を備える。
定義ファイルには、タグに付属して要素の特性を示す情報を付属情報として、ソースファイルに含まれる付属情報のうち注釈表示すべき付属情報を特定するための注釈情報が記述されており、データを画面表示させるステップにおいては、定義ファイルの注釈情報によって特定される付属情報を本文に対する注釈として表示させる。【００１２】
本発明のさらに別の態様もまた、文書処理方法である。
この方法は、マークアップ言語により記述された構造化文書ファイルをソースファイルとして取得するステップと、ソースファイルに含まれるデータを所定の表示形式にて画面表示させるステップと、を備える。
ソースファイルにおいては、タグに付属して要素の特性を示す付属情報のうち注釈表示すべき付属情報に注釈子が付されており、データを画面表示させるステップにおいては、注釈子によって特定される付属情報を本文に対する注釈として表示させる。【００１３】
なお、以上の構成要素の任意の組合せ、本発明の表現を方法、装置、システムなどの間で変換したものもまた、本発明の態様として有効である。
【発明の効果】
【００１４】
本発明によれば、マークアップ言語により構造化されたデータを処理する際の、ユーザの利便性を向上させることができる。
【図面の簡単な説明】
【００１５】
【図１】前提技術に係る文書処理装置の構成を示す図である。
【図２】文書処理装置により編集されるＸＭＬ文書の例を示す図である。
【図３】図２に示したＸＭＬ文書をＨＴＭＬで記述された表にマッピングする例を示す図である。
【図４（ａ）】図２に示したＸＭＬ文書を図３に示した表にマッピングするための定義ファイルの例を示す図である。
【図４（ｂ）】図２に示したＸＭＬ文書を図３に示した表にマッピングするための定義ファイルの例を示す図である。
【図５】図２に示したＸＭＬ文書を、図３に示した対応によりＨＴＭＬにマッピングして表示した画面の例を示す図である。
【図６】ユーザが定義ファイルを生成するために、定義ファイル生成部がユーザに提示するグラフィカルユーザインターフェースの例を示す図である。
【図７】定義ファイル生成部により生成された画面レイアウトの他の例を示す図である。
【図８】文書処理装置によるＸＭＬ文書の編集画面の一例を示す図である。
【図９】文書処理装置により編集されるＸＭＬ文書の他の例を示す図である。
【図１０】図９に示した文書を表示した画面の例を示す図である。
【図１１】アノーテーションを含むＸＭＬ文書の一部を示す図である。
【図１２】図１１に示したＸＭＬ文書が表示された画面の例を示す図である。
【図１３】図１１に示したＸＭＬ文書が表示された画面の別の例を示す図である。
【図１４】図１１に示したＸＭＬ文書が表示された画面の更に別の例を示す図である。
【図１５】実施の形態に係る文書処理装置の構成を示す図である。
【符号の説明】
【００１６】
２０  文書処理装置、２２  主制御ユニット、２４  編集ユニット、３０  ＤＯＭユニット、３２  ＤＯＭ提供部、３４  ＤＯＭ生成部、３６  出力部、４０  ＣＳＳユニット、４２  解析部、４４  ＣＳＳ提供部、４６  レンダリング部、５０  ＨＴＭＬユニット、５２，６２  制御部、５４，６４  編集部、５６，６６  表示部、６０  ＳＶＧユニット、７０  データ取得部、７２  文書取得部、７４  定義ファイル取得部、８０  ＶＣユニット、８２  マッピング部、８４  定義ファイル取得部、８６  定義ファイル生成部、１００  文書処理装置。
【発明を実施するための最良の形態】
【００１７】
（前提技術）
図１は、前提技術に係る文書処理装置２０の構成を示す。文書処理装置２０は、文書内のデータが階層構造を有する複数の構成要素に分類された構造化文書を処理するが、本前提技術では構造化文書の一例としてＸＭＬ文書を処理する例について説明する。文書処理装置２０は、主制御ユニット２２、編集ユニット２４、ＤＯＭユニット３０、ＣＳＳユニット４０、ＨＴＭＬユニット５０、ＳＶＧユニット６０、及び変換部の一例であるＶＣユニット８０を備える。これらの構成は、ハードウエアコンポーネントでいえば、任意のコンピュータのＣＰＵ、メモリ、メモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。【００１８】
主制御ユニット２２は、プラグインのロードや、コマンド実行のフレームワークを提供する。編集ユニット２４は、ＸＭＬ文書を編集するためのフレームワークを提供する。文書処理装置２０における文書の表示及び編集機能は、プラグインにより実現されており、文書の種別に応じて必要なプラグインが主制御ユニット２２又は編集ユニット２４によりロードされる。主制御ユニット２２又は編集ユニット２４は、処理対象となるＸＭＬ文書の名前空間を参照して、ＸＭＬ文書がいずれのボキャブラリにより記述されているかを判別し、そのボキャブラリに対応した表示又は編集用のプラグインをロードして表示や編集を実行させる。例えば、文書処理装置２０には、ＨＴＭＬ文書の表示及び編集を行うＨＴＭＬユニット５０、ＳＶＧ文書の表示及び編集を行うＳＶＧユニット６０など、ボキャブラリ（タグセット）ごとに表示系及び編集系がプラグインとして実装されており、ＨＴＭＬ文書を編集するときはＨＴＭＬユニット５０が、ＳＶＧ文書を編集するときはＳＶＧユニット６０が、それぞれロードされる。後述するように、ＨＴＭＬとＳＶＧの双方の構成要素を含む複合文書が処理対象となっている場合は、ＨＴＭＬユニット５０とＳＶＧユニット６０の双方がロードされる。【００１９】
このような構成によれば、ユーザは、必要な機能のみを選択してインストールし、後から適宜機能を追加又は削除することができるので、プログラムを格納するハードディスクなどの記録媒体の記憶領域を有効に活用することができ、また、プログラム実行時にも、メモリの浪費を防ぐことができる。また、機能拡張性に優れており、開発主体としても、プラグインの形で新たなボキャブラリに対応することが可能なので開発が容易となり、ユーザとしても、プラグインの追加により容易かつ低コストにて機能を追加することができる。【００２０】
編集ユニット２４は、ユーザインターフェースを介してユーザから編集指示のイベントを受け付け、そのイベントを適切なプラグインなどに通知するともに、イベントの再実行（リドゥ）又は実行の取消（アンドゥ）などの処理を制御する。【００２１】
ＤＯＭユニット３０は、ＤＯＭ提供部３２、ＤＯＭ生成部３４、及び出力部３６を含み、ＸＭＬ文書をデータとして扱うときのアクセス方法を提供するために定められた文書オブジェクトモデル（Document Object Model：ＤＯＭ）に準拠した機能を実現する。ＤＯＭ提供部３２は、編集ユニット２４に定義されているインタフェースを満たすＤＯＭの実装である。ＤＯＭ生成部３４は、ＸＭＬ文書からＤＯＭツリーを生成する。後述するように、処理対象となるＸＭＬ文書が、ＶＣユニット８０により他のボキャブラリにマッピングされる場合は、マッピング元のＸＭＬ文書に対応するソースツリーと、マッピング先のＸＭＬ文書に対応するデスティネーションツリーが生成される。出力部３６は、例えば編集終了時に、ＤＯＭツリーをＸＭＬ文書として出力する。【００２２】
ＣＳＳユニット４０は、ＣＳＳ解析部４２、ＣＳＳ提供部４４、及びレンダリング部４６を含み、ＣＳＳに準拠した表示機能を提供する。ＣＳＳ解析部４２は、ＣＳＳの構文を解析するパーサの機能を有する。ＣＳＳ提供部４４は、ＣＳＳオブジェクトの実装であり、ＤＯＭツリーに対してＣＳＳのカスケード処理を行う。レンダリング部４６は、ＣＳＳのレンダリングエンジンであり、ＣＳＳを用いてレイアウトされるＨＴＭＬなどのボキャブラリで記述された文書の表示に用いられる。【００２３】
ＨＴＭＬユニット５０は、ＨＴＭＬにより記述された文書を表示又は編集する。ＳＶＧユニット６０は、ＳＶＧにより記述された文書を表示又は編集する。これらの表示／編集系は、プラグインの形で実現されており、それぞれ、文書を表示する表示部（Canvas）５６、６６、編集指示を含むイベントを送受信する制御部（Editlet）５２、６２、編集コマンドを受けてＤＯＭに対して編集を行う編集部（Zone）５４、６４を備える。制御部５２又は６２が外部からＤＯＭツリーの編集コマンドを受け付けると、編集部５４又は６４がＤＯＭツリーを変更し、表示部５６又は６６が表示を更新する。これらは、ＭＶＣ（Model-View-Controller）と呼ばれるフレームワークに類似する構成をとっており、概ね、表示部５６及び６６が「View」に、制御部５２及び６２が「Controller」に、編集部５４及び６４とＤＯＭの実体が「Model」に、それぞれ対応する。本前提技術の文書処理装置２０では、ＸＭＬ文書をツリー表示形式で編集するだけでなく、それぞれのボキャブラリに応じた編集を可能とする。例えば、ＨＴＭＬユニット５０は、ＨＴＭＬ文書をワードプロセッサに類似した方式で編集するためのユーザインターフェースを提供し、ＳＶＧユニット６０は、ＳＶＧ文書を画像描画ツールに類似した方式で編集するためのユーザインターフェースを提供する。【００２４】
ＶＣユニット８０は、マッピング部８２、定義ファイル取得部８４、及び定義ファイル生成部８６を含み、あるボキャブラリにより記述された文書を、他のボキャブラリにマッピングすることにより、マッピング先のボキャブラリに対応した表示編集用プラグインで文書を表示又は編集するためのフレームワークを提供する。本前提技術では、この機能を、ボキャブラリコネクション（Vocabulary Connection：ＶＣ）と呼ぶ。定義ファイル取得部８４は、マッピングの定義を記述したスクリプトファイルを取得する。この定義ファイルは、ノードごとに、ノード間の対応（コネクション）を記述する。このとき、各ノードの要素値や属性値の編集の可否を指定してもよい。また、ノードの要素値や属性値を用いた演算式を記述してもよい。これらの機能については、後で詳述する。マッピング部８２は、定義ファイル取得部８４が取得したスクリプトファイルを参照して、ＤＯＭ生成部３４にデスティネーションツリーを生成させ、ソースツリーとデスティネーションツリーの対応関係を管理する。定義ファイル生成部８６は、ユーザが定義ファイルを生成するためのグラフィカルユーザインターフェースを提供する。【００２５】
ＶＣユニット８０は、ソースツリーとデスティネーションツリーの間のコネクションを監視し、表示を担当するプラグインにより提供されるユーザインタフェースを介してユーザから編集指示を受け付けると、まずソースツリーの該当するノードを変更する。ＤＯＭユニット３０が、ソースツリーが変更された旨のミューテーションイベントを発行すると、ＶＣユニット８０は、そのミューテーションイベントを受けて、ソースツリーの変更にデスティネーションツリーを同期させるべく、変更されたノードに対応するデスティネーションツリーのノードを変更する。デスティネーションツリーを表示／編集するプラグイン、例えばＨＴＭＬユニット５０は、デスティネーションツリーが変更された旨のミューテーションイベントを受けて、変更されたデスティネーションツリーを参照して表示を更新する。このような構成により、少数のユーザにより利用されるローカルなボキャブラリにより記述された文書であっても、他のメジャーなボキャブラリに変換することで、文書を表示することができるとともに、編集環境が提供される。【００２６】
文書処理装置２０により文書を表示又は編集する動作について説明する。文書処理装置２０が処理対象となる文書を読み込むと、ＤＯＭ生成部３４が、そのＸＭＬ文書からＤＯＭツリーを生成する。また、主制御ユニット２２又は編集ユニット２４は、名前空間を参照して文書を記述しているボキャブラリを判別する。そのボキャブラリに対応したプラグインが文書処理装置２０にインストールされている場合は、そのプラグインをロードして、文書を表示／編集させる。プラグインがインストールされていない場合は、マッピングの定義ファイルが存在するか否かを確認する。定義ファイルが存在する場合、定義ファイル取得部８４が定義ファイルを取得し、その定義に従って、デスティネーションツリーが生成され、マッピング先のボキャブラリに対応するプラグインにより文書が表示／編集される。複数のボキャブラリを含む複合文書である場合は、後述するように、それぞれのボキャブラリに対応したプラグインにより、文書の該当箇所がそれぞれ表示／編集される。定義ファイルが存在しない場合は、文書のソース又はツリー構造を表示し、その表示画面において編集が行われる。【００２７】
図２は、処理対象となるＸＭＬ文書の例を示す。このＸＭＬ文書は、生徒の成績データを管理するために用いられる。ＸＭＬ文書のトップノードである構成要素「成績」は、配下に、生徒ごとに設けられた構成要素「生徒」を複数有する。構成要素「生徒」は、属性値「名前」と、子要素「国語」、「数学」、「理科」、「社会」を有する。属性値「名前」は、生徒の名前を格納する。構成要素「国語」、「数学」、「理科」、「社会」は、それぞれ、国語、数学、理科、社会の成績を格納する。例えば、名前が「Ａ」である生徒の国語の成績は「９０」、数学の成績は「５０」、理科の成績は「７５」、社会の成績は「６０」である。以下、この文書で使用されているボキャブラリ（タグセット）を、「成績管理ボキャブラリ」と呼ぶ。【００２８】
本前提技術の文書処理装置２０は、成績管理ボキャブラリの表示／編集に対応したプラグインを有しないので、この文書をソース表示、ツリー表示以外の方法で表示するためには、前述したＶＣ機能が用いられる。すなわち、成績管理ボキャブラリを、プラグインが用意された別のボキャブラリ、例えば、ＨＴＭＬやＳＶＧなどにマッピングするための定義ファイルを用意する必要がある。ユーザ自身が定義ファイルを作成するためのユーザインターフェースについては後述することにして、ここでは、既に定義ファイルが用意されているとして説明を進める。【００２９】
図３は、図２に示したＸＭＬ文書をＨＴＭＬで記述された表にマッピングする例を示す。図３の例では、成績管理ボキャブラリの「生徒」ノードを、ＨＴＭＬにおける表（「TABLE」ノード）の行（「TR」ノード）に対応づけ、各行の第１列には属性値「名前」を、第２列には「国語」ノードの要素値を、第３列には「数学」ノードの要素値を、第４列には「理科」ノードの要素値を、第５列には「社会」ノードの要素値を、それぞれ対応付ける。これにより、図２に示したＸＭＬ文書を、ＨＴＭＬの表形式で表示することができる。また、これらの属性値及び要素値は、編集可能であることが指定されており、ユーザがＨＴＭＬによる表示画面上で、ＨＴＭＬユニット５０の編集機能により、これらの値を編集することができる。第６列には、国語、数学、理科、社会の成績の加重平均を算出する演算式が指定されており、生徒の成績の平均点が表示される。このように、定義ファイルに演算式を指定可能とすることにより、より柔軟な表示が可能となり、編集時のユーザの利便性を向上させることができる。なお、第６列は、編集不可であることが指定されており、平均点のみを個別に編集することができないようにしている。このように、マッピング定義において、編集の可否を指定可能とすることにより、ユーザの誤操作を防ぐことができる。【００３０】
図４（ａ）及び図４（ｂ）は、図２に示したＸＭＬ文書を図３に示した表にマッピングするための定義ファイルの例を示す。この定義ファイルは、定義ファイル用に定義されたスクリプト言語により記述される。定義ファイルには、コマンドの定義と、表示のテンプレートが記述されている。図４（ａ）（ｂ）の例では、コマンドとして、「生徒の追加」と「生徒の削除」が定義されており、それぞれ、ソースツリーにノード「生徒」を挿入する操作と、ソースツリーからノード「生徒」を削除する操作が対応付けられている。また、テンプレートとして、表の第１行に「名前」、「国語」などの見出しが表示され、第２行以降に、ノード「生徒」の内容が表示されることが記述されている。ノード「生徒」の内容を表示するテンプレート中、「text-of」と記述された項は「編集可能」であることを意味し、「value-of」と記述された項は「編集不可能」であることを意味する。また、ノード「生徒」の内容を表示する行のうち、第６列には、「(src:国語 + src:数学 + src:理科 + src:社会) div 4」という計算式が記述されており、生徒の成績の平均が表示されることを意味する。【００３１】
図５は、図２に示した成績管理ボキャブラリで記述されたＸＭＬ文書を、図３に示した対応によりＨＴＭＬにマッピングして表示した画面の例を示す。表９０の各行には、左から、各生徒の名前、国語の成績、数学の成績、理科の成績、社会の成績、及び平均点が表示されている。ユーザは、この画面上で、ＸＭＬ文書を編集することができる。たとえば、第２行第３列の値を「７０」に変更すると、このノードに対応するソースツリーの要素値、すなわち、生徒「Ｂ」の数学の成績が「７０」に変更される。このとき、ＶＣユニット８０は、デスティネーションツリーをソースツリーに追従させるべく、デスティネーションツリーの該当箇所を変更し、ＨＴＭＬユニット５０が、変更されたデスティネーションツリーに基づいて表示を更新する。したがって、画面上の表においても、生徒「Ｂ」の数学の成績が「７０」に変更され、更に、平均点が「５５」に変更される。【００３２】
図５に示した画面には、図４（ａ）（ｂ）に示した定義ファイルに定義されたように、「生徒の追加」及び「生徒の削除」のコマンドがメニューに表示される。ユーザがこれらのコマンドを選択すると、ソースツリーにおいて、ノード「生徒」が追加又は削除される。このように、本前提技術の文書処理装置２０では、階層構造の末端の構成要素の要素値を編集するのみではなく、階層構造を編集することも可能である。このようなツリー構造の編集機能は、コマンドの形でユーザに提供されてもよい。また、例えば、表の行を追加又は削除するコマンドが、ノード「生徒」を追加又は削除する操作に対応づけられてもよい。また、他のボキャブラリを埋め込むコマンドがユーザに提供されてもよい。この表を入力用テンプレートとして、穴埋め形式で新たな生徒の成績データを追加することもできる。以上のように、ＶＣ機能により、ＨＴＭＬユニット５０の表示／編集機能を利用しつつ、成績管理ボキャブラリで記述された文書を編集することが可能となる。【００３３】
図６は、ユーザが定義ファイルを生成するために、定義ファイル生成部８６がユーザに提示するグラフィカルユーザインタフェースの例を示す。画面左側の領域９１には、マッピング元のＸＭＬ文書がツリー表示されている。画面右側の領域９２には、マッピング先のＸＭＬ文書の画面レイアウトが示されている。この画面レイアウトは、ＨＴＭＬユニット５０により編集可能となっており、ユーザは、画面右側の領域９２において、文書を表示するための画面レイアウトを作成する。そして、例えば、マウスなどのポインティングデバイスにより、画面左側の領域９１に表示されたマッピング元のＸＭＬ文書のノードを、画面右側の領域９２に表示されたＨＴＭＬによる画面レイアウト中へドラッグ＆ドロップ操作を行うことにより、マッピング元のノードと、マッピング先のノードとのコネクションが指定される。例えば、要素「生徒」の子要素である「数学」を、ＨＴＭＬ画面の表９０の第１行第３列にドロップすると、「数学」ノードと、３列目の「ＴＤ」ノードの間にコネクションが張られる。各ノードには、編集の可否が指定できるようになっている。また、表示画面中には、演算式を埋め込むこともできる。画面の編集が終わると、定義ファイル生成部８６は、画面レイアウトとノード間のコネクションを記述した定義ファイルを生成する。【００３４】
ＸＨＴＭＬ、ＭａｔｈＭＬ、ＳＶＧなどの主要なボキャブラリに対応したビューワやエディタは既に開発されているが、図２に示した文書のようなオリジナルなボキャブラリで記述された文書に対応したビューワやエディタを開発するのは現実的でない。しかし、上記のように、他のボキャブラリにマッピングするための定義ファイルを作成すれば、ビューワやエディタを開発しなくても、ＶＣ機能を利用して、オリジナルなボキャブラリで記述された文書を表示・編集することができる。【００３５】
図７は、定義ファイル生成部８６により生成された画面レイアウトの他の例を示す。図７の例では、成績管理ボキャブラリで記述されたＸＭＬ文書を表示するための画面に、表９０と、円グラフ９３が作成されている。この円グラフ９３は、ＳＶＧにより記述される。後述するように、本前提技術の文書処理装置２０は、一つのＸＭＬ文書内に複数のボキャブラリを含む複合文書を処理することができるので、この例のように、ＨＴＭＬで記述された表９０と、ＳＶＧで記述された円グラフ９３とを、一つの画面上に表示することができる。【００３６】
図８は、文書処理装置２０によるＸＭＬ文書の編集画面の一例を示す。図８の例では、一つの画面が複数に分割されており、それぞれの領域において、処理対象となるＸＭＬ文書を異なる複数の表示形式により表示している。領域９４には、文書のソースが表示されており、領域９５には、文書のツリー構造が表示されており、領域９６には、図５に示したＨＴＭＬにより記述された表が表示されている。これらのいずれの画面上においても、文書の編集が可能であり、いずれかの画面上でユーザが編集を行うと、ソースツリーが変更され、それぞれの画面の表示を担当するプラグインが、ソースツリーの変更を反映すべく画面を更新する。具体的には、ソースツリーの変更を通知するミューテーションイベントのリスナーとして、それぞれの編集画面の表示を担当するプラグインの表示部を登録しておき、いずれかのプラグイン又はＶＣユニット８０によりソースツリーが変更されたときに、編集画面を表示中の全ての表示部が、発行されたミューテーションイベントを受け取って画面を更新する。このとき、プラグインがＶＣ機能により表示を行っている場合は、ＶＣユニット８０がソースツリーの変更に追従してデスティネーションツリーを変更した後、変更されたデスティネーションツリーを参照してプラグインの表示部が画面を更新する。【００３７】
例えば、ソース表示及びツリー表示を、専用のプラグインにより実現している場合は、ソース表示用プラグインとツリー表示用プラグインは、デスティネーションツリーを用いず、直接ソースツリーを参照して表示を行う。この場合、いずれかの画面において編集が行われると、ソース表示用プラグインとツリー表示用プラグインは、変更されたソースツリーを参照して画面を更新し、領域９６の画面を担当しているＨＴＭＬユニット５０は、ソースツリーの変更に追従して変更されたデスティネーションツリーを参照して画面を更新する。【００３８】
ソース表示及びツリー表示は、ＶＣ機能を利用して実現することもできる。すなわち、ソース、ツリー構造をＨＴＭＬによりレイアウトし、そのＨＴＭＬにＸＭＬ文書をマッピングして、ＨＴＭＬユニット５０により表示してもよい。この場合、ソース形式、ツリー形式、表形式の３つのデスティネーションツリーが生成されることになる。いずれかの画面において編集が行われると、ＶＣユニット８０は、ソースツリーを変更した後、ソース形式、ツリー形式、表形式の３つのデスティネーションツリーをそれぞれ変更し、ＨＴＭＬユニット５０は、それらのデスティネーションツリーを参照して、３つの画面を更新する。【００３９】
このように、一つの画面上に複数の表示形式で文書を表示することにより、ユーザの利便性を向上させることができる。例えば、ユーザは、ソース表示又はツリー表示により文書の階層構造を把握しつつ、表９０などを用いて視覚的に分かりやすい形式で文書を表示し、編集することができる。上記の例では、一つの画面を分割して複数の表示形式による画面を同時に表示したが、一つの画面に一つの表示形式による画面を表示し、表示形式をユーザの指示により切り替え可能としてもよい。この場合、主制御ユニット２２が、ユーザから表示形式の切り替え要求を受け付け、各プラグインに指示して表示を切り替える。【００４０】
図９は、文書処理装置２０により編集されるＸＭＬ文書の他の例を示す。図９に示したＸＭＬ文書では、ＳＶＧ文書の「foreignObject」タグの中にＸＨＴＭＬ文書が埋め込まれており、さらに、ＸＨＴＭＬ文書の中にＭａｔｈＭＬで記述された数式が入っている。このような場合、編集ユニット２４が、名前空間を参照して、適切な表示系に描画作業を振り分ける。図９の例では、編集ユニット２４は、まず、ＳＶＧユニット６０に四角形を描画させ、つづいて、ＨＴＭＬユニット５０にＸＨＴＭＬ文書を描画させる。さらに、図示しないＭａｔｈＭＬユニットに、数式を描画させる。こうして、複数のボキャブラリを包含する複合文書が適切に表示される。表示結果を図１０に示す。【００４１】
文書編集中、カーソル（キャリッジ）の位置に応じて、表示されるメニューを切り替えてもよい。すなわち、カーソルが、ＳＶＧ文書が表示された領域内に存在するときは、ＳＶＧユニット６０が提供するメニュー、又はＳＶＧ文書をマッピングするための定義ファイルに定義されたコマンドを表示し、カーソルが、ＸＨＴＭＬ文書が表示された領域内に存在するときは、ＨＴＭＬユニット５０が提供するメニュー、又はＸＨＴＭＬ文書をマッピングするための定義ファイルに定義されたコマンドを表示する。これにより、編集位置に応じて適切なユーザインターフェースを提供することができる。【００４２】
複合文書において、あるボキャブラリに対応する適切なプラグイン又はマッピング定義ファイルがなかった場合は、そのボキャブラリにより記述された部分は、ソース表示又はツリー表示されてもよい。従来、ある文書に他の文書を埋め込んだ複合文書を開くとき、埋め込まれた文書を表示するアプリケーションがインストールされていないと、その内容を表示することができなかったが、本前提技術では、表示用のアプリケーションが存在しなくても、テキストデータにより構成されたＸＭＬ文書をソース表示又はツリー表示することにより内容を把握することができる。これは、テキストベースであるＸＭＬなどの文書ならではの特徴といえる。【００４３】
データがテキストベースで記述されることの他の利点として、例えば、複合文書中の、あるボキャブラリにより記述される部分において、同一文書内の他のボキャブラリで記述された部分のデータを参照してもよい。また、文書内で検索を実行する時に、ＳＶＧなどの図に埋め込まれた文字列も検索対象とすることができる。【００４４】
あるボキャブラリにより記述された文書内に、他のボキャブラリのタグを用いてもよい。このＸＭＬ文書は、妥当（valid）ではないが、整形式（well-formed）であれば、有効なＸＭＬ文書として処理可能である。この場合、挿入された他のボキャブラリのタグは、定義ファイルによりマッピングされてもよい。例えば、ＸＨＴＭＬ文書中に、「重要」、「最重要」などのタグを使用し、これらのタグで囲まれた部分を強調表示してもよいし、重要度の順にソートして表示してもよい。【００４５】
図１０に示した編集画面において、ユーザにより文書が編集されると、編集された部分を担当するプラグイン又はＶＣユニット８０がソースツリーを変更する。ソースツリーには、ノードごとにミューテーションイベントのリスナーを登録できるようになっており、通常は、各ノードが属するボキャブラリに対応したプラグインの表示部又はＶＣユニット８０がリスナーとして登録される。ＤＯＭ提供部３２は、ソースツリーが変更されると、変更されたノードから上位の階層へたどって、登録されたリスナーがあれば、そのリスナーへミューテーションイベントを発行する。例えば、図９に示した文書において、＜ｈｔｍｌ＞ノードの下位のノードが変更された場合、＜ｈｔｍｌ＞ノードにリスナーとして登録されたＨＴＭＬユニット５０にミューテーションイベントが通知されるとともに、その上位の＜ｓｖｇ＞ノードにリスナーとして登録されたＳＶＧユニット６０にもミューテーションイベントが通知される。このとき、ＨＴＭＬユニット５０は、変更されたソースツリーを参照して表示を更新する。ＳＶＧユニット６０は、自身のボキャブラリに属するノードが変更されていないので、ミューテーションイベントを無視してもよい。【００４６】
編集の内容によっては、ＨＴＭＬユニット５０による表示の更新に伴って、全体のレイアウトが変わる可能性がある。この場合は、画面のレイアウトを管理する構成、例えば最上位のノードの表示を担当するプラグインにより、プラグインごとの表示領域のレイアウトが更新される。例えば、ＨＴＭＬユニット５０による表示領域が以前より大きくなった場合、ＨＴＭＬユニット５０は、まず自身の担当する部分を描画して、表示領域の大きさを決定する。そして、画面のレイアウトを管理する構成に、変更後の表示領域の大きさを通知し、レイアウトの更新を依頼する。画面のレイアウトを管理する構成は、通知を受けて、プラグインごとの表示領域を再レイアウトする。こうして、編集された部分の表示が適切に更新されるとともに、画面全体のレイアウトが更新される。【００４７】
（実施の形態）
実施の形態では、文書ファイル中に、注釈をつけるために用意されたアノーテーション要素又は属性が存在する場合に、その要素又は属性の名称を表示する技術を提案する。文書を閲覧又は編集しているときに、文書の一部を強調表示させたいときがある。ワードプロセッサなどにおいては、一般に、下線を引いたり、太字にしたり、色を変えたりするなどして、強調表示させることが可能であるが、本実施の形態では、ＸＭＬ文書を編集しているときにも、同様の機能を実現する技術について説明する。【００４８】
アノーテーションタグは、例えば、あるボキャブラリにおいて注釈をつけるために用意されたタグであってもよいし、注釈をつけるために用意されたボキャブラリに属するタグであってもよい。また、ユーザなどが定義ファイルなどにおいて、アノーテーションタグとして指定したタグであってもよい。アノーテーションは属性によりつけられてもよい。【００４９】
文書処理装置２０は、文書ファイル中にアノーテーションタグ又は属性が存在するか否かを判断し、アノーテーションタグ又は属性が存在する場合は、その名称を表示する。タグ名は、例えば、アノーテーションタグで囲まれたテキストの横に表示してもよいし、テキストの周辺にバルーン表示してもよいし、ステータス表示領域などに表示してもよい。これにより、アノーテーションタグにより注釈として指定された内容を効果的に強調表示することができる。【００５０】
図１１は、アノーテーションを含むＸＭＬ文書の一部を示す。図１１の例では、要素「sprinkle：役割」のうち、属性「name」に「資本コスト」が指定されたものを強調表示することにする。したがって、文書処理装置２０は、この「資本コスト」が属性に指定された「sprinkle：役割」タグで囲まれたテキスト「１０％」の周辺又はステータス表示領域に、属性名「資本コスト」を表示する。【００５１】
図１２は、図１１に示したＸＭＬ文書が表示された画面の例を示す。図１２では、アノーテーション用の属性の名称「資本コスト」がテキスト「１０％」の横に表示されている。この例では、属性「ｉｄ」の属性値も表示されている。名称は、常時表示されていてもよいし、カーソルがテキスト上にあるときに、その近傍に名称を表示してもよい。名称は、テキストの上、下、右、左など、いずれの位置に表示されてもよい。【００５２】
図１３は、図１１に示したＸＭＬ文書が表示された画面の別の例を示す。図１３では、アノーテーション用の属性の名称「資本コスト」がテキスト「１０％」の近傍にバルーン表示されている。名称は、常時バルーン表示されていてもよいし、カーソルがテキスト上にあるときに、その近傍に名称をバルーン表示してもよい。バルーンは、テキストの上、下、右、左など、いずれの位置に表示されてもよい。【００５３】
図１４は、図１１に示したＸＭＬ文書が表示された画面の更に別の例を示す。図１４では、アノーテーション用の属性の名称「資本コスト」がステータス表示領域に表示されている。名称は、常時表示されていてもよいし、カーソルがテキスト上にあるときに、名称を表示してもよい。名称は、ステータス表示領域の他、ポップアップウィンドウなど、いずれの領域に表示されてもよい。【００５４】
文書処理装置２０がアノーテーションタグのタグ名を表示するときの動作について説明する。以下、タグ名について説明するが、属性名の場合も同様である。まず、第１の例として、定義ファイルにアノーテーション要素を処理するためのテンプレートを記述する例を説明する。アノーテーションタグを含むＸＭＬ文書に対応づけられる定義ファイルに、アノーテーション要素のテンプレートを用意し、そのテンプレートの中で、アノーテーション要素のテキストノードにコネクタ「text-of」を対応づける。更に、デスティネーションツリーにアノーテーション要素の要素名を格納したテキストノードを生成させるコネクタを記述する。これにより、デスティネーションツリーには、アノーテーション要素のテキストを格納したテキストノードと、その要素名を格納したテキストノードが生成される。この場合、要素名はテキストの隣に常時表示されることになるが、カーソルがテキスト上にあるときにのみ要素名を表示させたい場合は、それを実現するためのロジックを更に定義ファイルに記述すればよい。【００５５】
第２の例として、ＶＣユニット８０がタグ名の表示を自動生成する例を説明する。ＶＣユニット８０は、アノーテーション要素を検出すると、定義ファイルにその要素のテンプレートが記述されていなくても、自動的に要素名を格納したテキストノードを生成するコネクタを生成する。これにより、デスティネーションツリーに要素名を格納したテキストノードが生成され、要素名が表示される。【００５６】
第３の例として、アノーテーション要素の要素名を表示する機能を有するユニットを別に用意する例を説明する。このアノーテーション表示ユニットは、プラグインとして提供され、文書処理装置２０に追加されてもよい。アノーテーション表示ユニットは、例えば、アノーテーション要素の要素名を表示するための透明なレイヤーを生成し、そのレイヤーを、文書を表示した画面に重ねて表示してもよい。アノーテーション表示ユニットは、アノーテーション要素を検出すると、アノーテーション表示用のレイヤー上において、アノーテーション要素のテキストの近傍やシステムラインなどに、要素名をテキスト又はバルーンとして書き込む。アノーテーション表示ユニットは、カーソルがテキスト上にあるときにのみ、要素名をアノーテーション表示用のレイヤーに表示させてもよい。【００５７】
本実施の形態に関連して更に付言しておく。
図１５は、実施の形態に係る文書処理装置１００の構成を示す図である。文書処理装置１００の構成は、処理対象となるデータを取得するための構成としてのデータ取得部７０を明示したものである。データ取得部７０は、文書取得部７２と定義ファイル取得部７４を含む。文書取得部７２は、処理対象となるＸＭＬ文書ファイルを取得する。定義ファイル取得部７４は、取得されたＸＭＬファイルの表示形式を定めた定義ファイルを取得する。文書取得部７２は、ウェブサーバなどの外部装置からネットワークを介してＸＭＬ文書ファイルを取得してもよい。【００５８】
上記第１の例の場合、この定義ファイルには、ＸＭＬ文書ファイル中における所定のタグ、所定の要素についてのタグ名や、要素値など、タグに付属する各種の情報を注釈表示させるためのロジックが記述されることになる。たとえば、図１１に関連して説明した<sprinkle>タグによって示される属性のうち、name属性の値をバルーン表示させるようなロジックが記述されてもよい。上記第２や第３の例の場合、ＶＣユニット８０やアノテーション表示ユニットは、ＸＭＬ文書ファイル中における所定のタグに付属する情報を注釈表示する機能を備える。たとえば、図１１に関連して説明した<sprinkle>タグを検出すると、その属性名と属性値をステータスバーに表示させる機能を備えてもよい。この場合、もともとのＸＭＬ文書ファイル中における<sprinkle>タグが、注釈表示の対象となるデータを特定するための注釈子の役割を担う。【００５９】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。【００６０】
実施の形態では、ＸＭＬ文書を処理する例について説明したが、本実施の形態の文書処理装置１００は、他のマークアップ言語、例えば、ＳＧＭＬ、ＨＴＭＬなどで記述された文書も同様に処理可能である。
【産業上の利用可能性】
【００６１】
本発明によれば、マークアップ言語により構造化されたデータを処理する際の、ユーザの利便性を向上させることができる。
【図１】
2006051974.tif 000002
【図２】
2006051974.tif 000003
【図３】
2006051974.tif 000004
【図４（ａ）】
2006051974.tif 000005
【図４（ｂ）】
2006051974.tif 000006
【図５】
2006051974.tif 000007
【図６】
2006051974.tif 000008
【図７】
2006051974.tif 000009
【図８】
2006051974.tif 000010
【図９】
2006051974.tif 000011
【図１０】
2006051974.tif 000012
【図１１】
2006051974.tif 000013
【図１５】
2006051974.tif 000014
【図１２】
2006051974.tif 000015
【図１３】
2006051974.tif 000016
【図１４】
2006051974.tif 000017
【国際調査報告】
2006051974.tif 000018
2006051974.tif 000019
2006051974.tif 000020
2006051974.tif 000021